(57)【要約】      （修正有）【課題】軟らかくてクション性に優れ、なおかつ、足裏のつぼを適度に刺激することができる靴用中敷きを提供する。【解決手段】エチレン酢酸ビニル共重合体とエチレンプロピレンゴムを主体とするポリマーを射出成形して架橋発泡させ、低発泡体の成型品である。平坦な中敷き本体１の上面から複数段に突出する膨出部２を一体的に形成する。低発泡体の平坦な中敷き本体１の裏面に、紙をプレスした層３を積層することができる。紙をプレスした層３の裏面に、布４をさらに積層することができる。【選択図】図１
0003155374.tif 000002
【実用新案登録請求の範囲】
【請求項１】
エチレン酢酸ビニル共重合体とエチレンプロピレンゴムを主体とするポリマーを射出成形して架橋発泡させた低発泡体の成型品であり、平坦な中敷き本体１の上面から複数段に突出する膨出部２を一体的に形成したことを特徴とする靴用中敷き。
【請求項２】
足裏のつぼに対応させて、膨出部２の段ごとに硬さを異ならしめたことを特徴とする請求項１記載の靴用中敷き。
【請求項３】
膨出部２の段ごとに、色を異ならしめたことを特徴とする請求項１記載の靴用中敷き。
【請求項４】
低発泡体の平坦な中敷き本体１の裏面に、紙をプレスした層３を積層することを特徴とする請求項１記載の靴用中敷き。
【請求項５】
紙をプレスした層３の裏面に、布４をさらに積層することを特徴とする請求項４記載の靴用中敷き。
【考案の詳細な説明】
【技術分野】
【０００１】
本考案は、靴底の内面に敷いて使用するものであって、突起を有する中敷きに関し、さらに詳しくは、エチレン酢酸ビニル共重合体とエチレンプロピレンゴムを主体とするポリマーを射出成形して架橋発泡させたものに関する。
【背景技術】
【０００２】
突起を有する靴用中敷きは従来から広く使用されており、また、それに関する提案も多数見受けられる。そして、その素材はほとんどが硬質ゴムや合成樹脂あるいはパラフィン系ワックスで、成形したものがほとんどである。（例えば、特許文献１、２参照）。
【先行技術文献】
【特許文献】
【０００３】
【特許文献１】実開平７−７５０９号公報
【０００４】
【特許文献２】登録実用新案第３００３６３７号公報
【考案の概要】
【考案が解決しようとする課題】
【０００５】
しかしながら、上記素材からなる成形品の靴用中敷きは、劣化しやすいという致命的欠点がある。また、素材のためであると思われるが、比較的硬く、全体のクッション性に欠けているものも多い。
【０００６】
本考案はこの欠点を解消することを目的とするものである。すなわち、従来の硬質ゴムや合成樹脂あるいはパラフィン系ワックスからなる場合に比べて軟らかくてクション性に優れ、なおかつ、足裏のつぼを適度に刺激することができる靴用中敷きを提供できるようにするとともに、極めて簡単に靴用中敷きを得ることができるようにしたものである。
【課題を解決するための手段】
【０００７】
この目的を達成するために、本考案では、エチレン酢酸ビニル共重合体とエチレンプロピレンゴムを主体とするポリマーを射出成形して架橋発泡させ、低発泡体の成型品である靴用中敷きとする。この場合には、ポリマーの射出成形による架橋発泡という極めて簡単な工程により、軟らかくてクション性に優れ、かつ極めて軽い靴用中敷きを得ることができる。また、耐摩耗性、耐防滑性、耐寒性、耐候性、耐薬品性に優れているのみならず、屈曲に対しても強靭である。
【０００８】
そして、平坦な中敷き本体１の上面から複数段に突出する膨出部２が一体的に形成されている。従って、この靴用中敷きを用いると、エチレン酢酸ビニル共重合体とエチレンプロピレンゴムを主体とするポリマーからなる複数段の膨出部２で、足裏のつぼをより刺激することができる。
【０００９】
足裏のつぼに対応させて、膨出部２の段ごとに硬さを異ならしめておくと良い。この靴用中敷きを用いると、足裏のつぼを一層刺激することができる。
【００１０】
膨出部２の段ごとに、色を異ならしめておくと良い。このようにすると、カラフルな靴用中敷きとなり、デザイン的にも優れたものとなる。
【００１１】
低発泡体の平坦な中敷き本体１の裏面に、紙をプレスした層３を積層しておくと良い。  紙をプレスした層３が積層されていると、軟らかい中敷き本体１の裏面が紙をプレスした層３で保護されるのみならず、表側の複数段に突出する膨出部２に掛かる力が中敷き本体１より硬い裏面の層３にそのまま掛かるので、足裏のつぼをさらに一層刺激することができる。
【００１２】
紙をプレスした層３の裏面に、布４をさらに積層しておくと良い。布４がさらに積層されていると、中敷き本体１より硬い層３の裏面がこの布４で保護されるので、紙をプレスした層３が摩耗するのを防止できる。
【考案の効果】
【００１３】
請求項１記載の考案によれば、ポリマーの射出成形による架橋発泡という極めて簡単な工程により、軟らかくてクション性に優れ、かつ極めて軽い靴用中敷きを得ることができる。また、耐摩耗性、耐防滑性、耐寒性、耐候性、耐薬品性に優れているのみならず、屈曲に対しても強靭である。さらに、エチレン酢酸ビニル共重合体とエチレンプロピレンゴムを主体とするポリマーからなる複数段の膨出部２により、足裏のつぼをより刺激することができる。
【００１４】
請求項２記載の考案によれば、足裏のつぼを一層刺激することができる。
【００１５】
請求項３記載の考案によれば、カラフルな靴用中敷きとなり、デザイン的にも優れたものとなる。
【００１６】
請求項４記載の考案によれば、軟らかい中敷き本体１の裏面が紙をプレスした層３で保護されるのみならず、表側の複数段に突出する膨出部２に掛かる力が中敷き本体１より硬い裏面の層３にそのまま掛かるので、足裏のつぼをさらに一層刺激することができる。
【００１７】
請求項５記載の考案によれば、紙をプレスした層３が摩耗するのを防止できる。
【図面の簡単な説明】
【００１８】
【図１】本考案に係る靴用中敷きの一例を示す斜視図である。
【図２】その平面図である。
【図３】その底面図である。
【図４】図２のＡ−Ａ、Ｂ−Ｂ部分の拡大平面図である。
【図５】図４のＣ−Ｃ線切断部の端面図である。
【考案を実施するための形態】
【００１９】
本考案に係る靴用中敷きの一例を、図面に基いて説明する。この靴用中敷きＮは、エチレン酢酸ビニル共重合体とエチレンプロピレンゴムを主体とするポリマーを射出成形して架橋発泡させた低発泡体の成型品である。
【００２０】
ポリマーの射出成形による架橋発泡という極めて簡単な工程により、軟らかくてクション性に優れ、かつ極めて軽い靴用中敷きを得ることができる。また、耐摩耗性、耐防滑性、耐寒性、耐候性、耐薬品性に優れているのみならず、屈曲に対しても強靭である。
【００２１】
このように、エチレン酢酸ビニル共重合体（ＥＶＡ）とエチレンプロピレンゴム（ＥＰＲ）を主体とするポリマーを射出成形して架橋発泡させ、低発泡体の成型品である靴用中敷きとした場合には、従来の硬質ゴムや合成樹脂あるいはパラフィン系ワックスを主成分とする靴用中敷きに比べて、軟らかいものとなる。
【００２２】
図１、図２に示すように、平坦な中敷き本体１の上面から複数段に突出する膨出部２が全体にわたって多数一体的に形成されている。従って、この靴用中敷きＮを用いると、エチレン酢酸ビニル共重合体とエチレンプロピレンゴムを主体とするポリマーからなる複数段の膨出部２で、足裏のつぼをより刺激することができる。
【００２３】
足裏のつぼに対応させて、多数の膨出部２を中敷き本体１の全体にわたって配置することができる。また、多数の膨出部２の大きさを自由に変えることもできる。さらに、多数の膨出部２の高さを異ならしめることもできる。
【００２４】
図４、図５に拡大して示すように、ここには、リング状の部分が低い膨出部２ａとなっており、その内側が前記膨出部２ａより一段高い膨出部２ｂとなっている、膨出部２が二段の場合を例示しているが、その段数を三段以上にしても良いことは勿論である。ただし、低い一段の膨出部２ａだけでは、足裏のつぼを刺激するのに適していないので、好ましくない。
【００２５】
足裏のつぼに対応させて、膨出部２の段ごとに硬さを異ならしめておくことができる。この靴用中敷きＮを用いると、足裏のつぼをさらに一層刺激することができる。膨出部２が二段の場合には、一段高い前記膨出部２ｂを硬くすると、前記効果が増大する。
【００２６】
膨出部２の段ごとに、色を異ならしめておくことができる。膨出部２の段ごとに色を異ならしめておくと、カラフルな靴用中敷きＮとなり、デザイン的にも優れたものとなる。
【００２７】
図１、図５に示すように、ここには、低発泡体の平坦な中敷き本体１の裏面に、紙をプレスした層３を積層した場合が例示されている。紙をプレスした層３が積層されていると、軟らかい中敷き本体１の裏面が紙をプレスした層３で保護されるのみならず、表側の複数段に突出する膨出部２に掛かる力が中敷き本体１より硬い裏面の層３にそのまま掛かるので、足裏のつぼをさらに一層刺激することができる。
【００２８】
また、図１、図３および図５に示すように、ここには、紙をプレスした層３の裏面に、布４をさらに積層した場合が例示されている。布４がさらに積層されていると、中敷き本体１より硬い層３の裏面がこの布４で保護されるので、紙をプレスした層３が摩耗するのを防止できる。
【００２９】
なお、図１、図２、図４に示すように、中敷き本体１の周囲には、細い凹凸模様５が多数形成され、また、図１〜図４に示すように、その内側を裏側にまで達する糸６が縫い付けられている。多数の細い凹凸模様５は、中敷き本体１の成形時において同時成形することができる。
【符号の説明】
【００３０】
１…中敷き本体、２…膨出部、２ａ…低い膨出部、２ｂ…高い膨出部、３…紙をプレスした層、４…布、Ｎ…靴用中敷き。
【図１】
0003155374.tif 000003
【図２】
0003155374.tif 000004
【図３】
0003155374.tif 000005
【図４】
0003155374.tif 000006
【図５】
0003155374.tif 000007